(57)【特許請求の範囲】
【請求項１】
口頸部が設けられた容器本体と、
前記容器本体の口頸部に装着されると共に、前記容器本体に収容された液体を注出する第１注出口を先端部に有して前記口頸部の内側から上方に向かって立ち上がるノズルと、前記ノズルの基端側に流れ落ちた液体を前記容器本体内に戻す戻し口とが設けられた注出キャップと、
前記注出キャップに着脱自在に被せられると共に、前記注出キャップから取り外して前記第１注出口から注出された液体を計り取る計量部と、前記計量部の底面部を構成すると共に前記ノズルの第１注出口に対向する位置に第２注出口を有する天板部と、前記計量部の側面部を構成すると共に前記天板部の下面から前記ノズルの周囲を囲むように垂下される内筒部と、前記天板部の下面に位置して前記ノズルの先端部が嵌合される嵌合部とが設けられた計量キャップとを備え、
前記計量キャップを前記注出キャップに被せた状態において、前記ノズルと前記嵌合部との間の全周又は一部の領域に亘って隙間が設けられていることを特徴とするキャップ付き容器。
【請求項２】
前記隙間は、前記ノズルと前記嵌合部との互いに対向する面のうち少なくとも一部を切り欠くことによって形成されていることを特徴とする請求項１に記載のキャップ付き容器。
【請求項３】
前記隙間は、前記ノズルの先端部を前記嵌合部の内側に遊嵌させることによって形成されていることを特徴とする請求項１に記載のキャップ付き容器。
【請求項４】
前記隙間は、前記容器本体を傾ける側とは反対側に位置して設けられていることを特徴とする請求項１〜３の何れか一項に記載のキャップ付き容器。
【請求項５】
前記ノズルの先端部が斜めにカットされた形状を有すると共に、斜めにカットされた前記第１注出口の上端部が前記容器本体を傾ける側に位置していることを特徴とする請求項１〜４の何れか一項に記載のキャップ付き容器。
【請求項６】
前記第２注出口は、前記第１注出口よりも小径であり、前記第１注出口の内側に臨んで配置されると共に、前記第１注出口の中心から前記容器本体を傾ける側に偏倚して設けられていることを特徴とする請求項１〜５の何れか一項に記載のキャップ付き容器。
【請求項７】
前記計量キャップには、前記第２注出口を開閉する開閉手段が設けられていることを特徴とする請求項１〜６の何れか一項に記載のキャップ付き容器。
【請求項８】
前記開閉手段は、前記計量キャップにヒンジ部を介して回動可能に設けられたカバーキャップであり、前記ヒンジ部は、前記計量キャップの前記容器本体を傾ける側とは反対側の側面部に位置して設けられていることを特徴とする請求項７に記載のキャップ付き容器。
【請求項９】
前記容器本体に収容された液体が、少なくとも２質量％以上の界面活性剤を含む液体洗剤組成物又は液体漂白剤組成物であることを特徴とする請求項１乃至８の何れか一項に記載のキャップ付き容器。
【発明の詳細な説明】
【技術分野】
【０００１】
本発明は、計量カップとして使用できるキャップを備えたキャップ付き容器に関する。
【背景技術】
【０００２】
従来より、液体洗剤や液体漂白剤、柔軟仕上げ剤などの液体製品を容器本体に収容し、この容器本体に着脱自在に被せられるキャップを計量カップとして使用するキャップ付き容器がある（例えば特許文献１〜３を参照）。このようなキャップ付き容器は、例えば図１０に示すように、液体を内部に収容する容器本体１００と、この容器本体１００から注出された液体を計り取る計量部１０１ａが設けられた計量キャップ１０１と、この計量キャップ１０１に液体を注出するための注出ノズル１０２ａ及び計量キャップ１０１を被せたときに計量キャップ１０１の内側に付着した液体を容器本体１００に戻すための戻し口１０２ｂが設けられた注出キャップ１０２とを備えている。そして、このような液体製品を用いて洗濯などを行う場合には、図１１に示すように、計量キャップ１０１を注出キャップ１０２から取り外し、注出ノズル１０２ａから注出された液体を計量キャップ１０１の計量部１０１ａで計り取った後に、洗濯機に投入するといった操作を行う。
【特許文献１】実開平１−５３０５１号公報
【特許文献２】実開昭６４−５１０４２号公報
【特許文献３】実開昭６４−５３０５０号公報
【発明の開示】
【発明が解決しようとする課題】
【０００３】
ところで、従来のキャップ付き容器では、図１２に示すように、計量時に計量部１０１ａ内に付着した泡Ｂが溢れ出すなどの問題があった。具体的に、従来のキャップ付き容器は、容器本体１００を正立状態で保管することが基本のため、容器本体１００の反転等による泡Ｂの発生は考慮されておらず、計量キャップ１０１を装着した状態のまま容器本体１００を転倒させたり反転させたりすると、注出ノズル１０２ａや戻し口１０２ｂから計量部１０１ａ内に流入した液体が再び容器本体１００内へと戻る過程で図１３に示すような泡Ｂが発生する。特に、粘度の高い液体は、容器本体１００への戻りが悪く、このような泡Ｂの発生がより顕著なものとなる。したがって、計量部１０１ａの内側に泡Ｂが付着した状態のまま計量を行うと、上述した図１２に示すように、計量部１０１ａ内に残留した泡Ｂの影響により液体を正確に計り取ることが困難となってしまう。
【０００４】
本発明は、このような従来の事情に鑑みて提案されたものであり、計量部内での泡の発生を防ぐことができるキャップ付き容器を提供することを目的とする。
【課題を解決するための手段】
【０００５】
この目的を達成するために、本発明に係るキャップ付き容器は、口頸部が設けられた容器本体と、容器本体の口頸部に装着されると共に、容器本体に収容された液体を注出する第１注出口を先端部に有して口頸部の内側から上方に向かって立ち上がるノズルと、ノズルの基端側に流れ落ちた液体を容器本体内に戻す戻し口とが設けられた注出キャップと、注出キャップに着脱自在に被せられると共に、注出キャップから取り外して第１注出口から注出された液体を計り取る計量部と、計量部の底面部を構成すると共にノズルの第１注出口に対向する位置に第２注出口を有する天板部と、計量部の側面部を構成すると共に天板部の下面からノズルの周囲を囲むように垂下される内筒部と、天板部の下面に位置してノズルの先端部が嵌合される嵌合部とが設けられた計量キャップとを備え、計量キャップを注出キャップに被せた状態において、ノズルと嵌合部との間の全周又は一部の領域に亘って隙間が設けられていることを特徴とする。
本発明に係るキャップ付き容器では、ノズルと嵌合部との間に設けられた隙間を通じて第２注出口から流入する外部の空気を計量部内に導入することができ、この計量部内の空気の置換効率を高めることによって、計量部内での泡の発生を防ぐことができる。
【０００６】
また、前記隙間は、ノズルと嵌合部との互いに対向する面のうち少なくとも一部を切り欠くことによって形成することができる。
一方、前記隙間は、ノズルの先端部を嵌合部の内側に遊嵌させることによって形成することができる。
【０００７】
また、前記隙間は、液体の注出時に容器本体を傾ける側とは反対側に位置して設けられていることが好ましい。
この場合、容器本体を傾けた状態から正立状態に戻したときに、該隙間を通じて第２注出口から流入する外部の空気を計量部内に速やかに導入することができる。これにより、計量部内の空気の置換効率を更に高めることができる。
【０００８】
また、本発明に係るキャップ付き容器は、ノズルの先端部が斜めにカットされた形状を有すると共に、斜めにカットされた第１注出口の上端部が容器本体を傾ける側に位置していることが好ましい。
この場合、容器本体を傾けた状態から正立状態に戻したときにノズルの先端部における液切れを良くすることができる。また、容器本体を傾ける側とは反対側において外部の空気を計量部内に導入するための隙間を確保できることから、計量部内の空気の置換効率を更に高めることができる。
【０００９】
また、前記第２注出口は、第１注出口よりも小径であり、第１注出口の内側に臨んで配置されると共に、第１注出口の中心から容器本体を傾ける側に偏倚して設けられていることが好ましい。
この場合、計量キャップを注出キャップに被せた状態のまま容器本体を傾けることによって、ノズルの第１注出口から注出された液体を第２注出口から速やかに注出させることができる。
【００１０】
また、本発明に係るキャップ付き容器は、計量キャップに第２注出口を開閉する開閉手段が設けられた構成としてもよい。
この場合、計量キャップを取り外して液体を計り取る際に第２注出口からの液漏れを開閉手段により防ぐことができる。
【００１１】
さらに、開閉手段は、計量キャップにヒンジ部を介して回動可能に設けられたカバーキャップであることが好ましい。
この場合、カバーキャップがヒンジ部を介して計量キャップに連結されていることから、このカバーキャップを開蓋した際に無くしてしまうといったことを防ぐことができる。
また、ヒンジ部は、計量キャップの容器本体を傾ける側とは反対側の側面部に位置して設けられていることが好ましい。これにより、第２注出口から液体を注出する際にカバーキャップが邪魔とならないように、ヒンジ部とは反対側を下に向けて容器本体を傾けることになるため、使用者に対して容器本体を傾ける向きを通知させることができる。
【００１２】
また、本発明に係るキャップ付き容器では、容器本体に収容された液体が少なくとも２質量％以上の界面活性剤を含む液体洗剤組成物又は液体漂白剤組成物であっても、計量部内での泡の発生を防ぐことができる。
【発明の効果】
【００１３】
以上のように、本発明によれば、計量部内の空気の置換効率を高めることによって、計量部内での泡の発生を防ぐことができることから、計量時に泡の影響を受けることなく液体を計量キャップの計量部により正確に計り取ることができる。
【発明を実施するための最良の形態】
【００１４】
以下、本発明を適用したキャップ付き容器について、図面を参照して詳細に説明する。
図１に示すように、本発明を適用したキャップ付き容器１は、例えば液体として液体洗剤が収容された容器本体２と、この容器本体２の口頸部２ａに装着される注出キャップ３と、この注出キャップ３に着脱自在に被せられた計量キャップ４とを備えている。
【００１５】
容器本体２は、例えばポリエチレン樹脂やポリプロピレン樹脂、ポリエステル樹脂などの合成樹脂材料をブロー成形によりボトル状に成形したものからなる。この容器本体２の底部から筒状に起立した胴部の上端部には、略円筒状に縮径された口頸部２ａが設けられている。また、口頸部２ａの外周面には、注出キャップ３を螺合により装着するためのネジ部２ｂが形成されている。なお、容器本体２の形状については、特に限定されないものの、使用する際に持ち易く且つ注出操作のし易い形状のものが好ましい。
【００１６】
注出キャップ３は、例えばポリエチレン樹脂やポリプロピレン樹脂などの合成樹脂材料からなる。この注出キャップ３は、口頸部２ａの内側から上方に向かって立ち上がる注出ノズル５と、この注出ノズル５の基端側に位置して注出ノズル５の周囲を囲む環状の底壁６と、この底壁６の外周縁部から上方に向かって立ち上がる筒状の内側周壁７と、この内側周壁７の上方に位置して計量キャップ４が着脱自在に装着される内筒部８と、この内筒部８の外側に位置して口頸部２ａに着脱自在に装着される外筒部９とを有している。
【００１７】
このうち、注出ノズル５は、容器本体２に収容された液体を注出する第１注出口５ａを先端部に有し、口頸部２ａ内の略中央位置において口頸部２ａの開口周縁部よりも上方に突出して設けられている。注出ノズル５は、その先端部から基端側の中途部まで径が漸次拡径する形状を有すると共に、その先端部が斜めにカットされた形状を有している。また、斜めにカットされた第１注出口５ａの上端部は、容器本体２を傾ける側に位置している。
【００１８】
底壁６は、注出ノズル５を傾ける方向とは反対方向に下降するように傾斜して設けられている。また、この底壁６の最下端部は、注出ノズル５や計量キャップ４に付着した液体洗剤を回収するための液溜め部６ａを形成している。そして、内側周壁７には、この液溜め部６ａに溜まった液体洗剤を容器本体２内に戻すための戻し口１０が設けられている。この戻し口１０は、注出ノズル５の基端側に流れ落ちた液体洗剤を容器本体２内に戻すためのものであり、容器本体２の内部と連通される部分である。なお、このような戻し口１０は、内側周壁７以外にも注出ノズル５の基端部や底壁６に設けることも或いはそれらの間に亘って設けることもできる。
【００１９】
内側周壁７は、口頸部２ａの内側に挿入される部分であり、注出ノズル５との間に環状の空隙を隔てて設けられている。内筒部８は、この内側周壁７の上端部から段差部１１を介して更に口頸部２ａよりも上方に向かって略円筒状に立ち上がり形成されている。また、内筒部８の外周面には、計量キャップ４を螺合により着脱自在とするためのネジ部８ａが形成されている。外筒部９は、内筒部８のネジ部８ａよりも下方に位置するフランジ部１２を介して下方に向かって略円筒状に垂下されている。また、外筒部９の内周面には、上述した口頸部２ａのネジ部２ｂに螺合されるネジ部９ａが形成されている。これにより、注出キャップ３は、容器本体２の口頸部２ａに対して着脱自在に装着することが可能となっている。
【００２０】
計量キャップ４は、例えばポリエチレン樹脂やポリプロピレン樹脂などの合成樹脂材料からなる。この計量キャップ４は、注出キャップ３から取り外して注出ノズル５の第１注出口５ａから注出された液体洗剤を計り取る計量部４ａと、注出キャップ３に被せた状態のまま容器本体２に収容された液体洗剤を注出する第２注出口１３とを有している。
【００２１】
具体的に、この計量キャップ４は、計量部４ａの底面部を構成する天板部１４と、計量部４ａの側面部を構成する内筒部１５と、内筒部１５の外側に位置して注出キャップ３に着脱自在に装着される外筒部１６とを有している。
【００２２】
このうち、天板部１４は、内筒部１５と一体に形成されて内筒部１５の上面部を閉塞している。また、天板部１４には、上述した注出ノズル５の第１注出口５ａに対向する第２注出口１３が設けられている。具体的に、第２注出口１３は、上述した注出ノズル５の第１注出口５ａよりも小径であり、第１注出口５ａの内側に位置するように配置されている。また、第２注出口１３は、容器本体２に収容された液体洗剤を衣服の襟や袖などに直接塗布できるように、例えば天板部１４の略中央部から上方に向かって僅かに突出したノズル形状を有している。
【００２３】
さらに、第２注出口１３は、第１注出口５ａの中心から容器本体２を傾ける側に偏倚して設けられている。この場合、計量キャップ４を注出キャップ３に被せた状態のまま容器本体２を傾けることによって、注出ノズル５の第１注出口５ａから注出された液体洗剤を第２注出口１３から速やかに注出させることができる。
【００２４】
天板部１４の下面部には、注出ノズル５の先端部が嵌合される嵌合部１７が設けられている。この嵌合部１７は、天板部１４の下面部に形成された凹部であり、この凹部の底面部に第２注出口１３が形成されている。また、この嵌合部１７と注出ノズル５との間には、詳細を後述する隙間Ｓが設けられている。
【００２５】
一方、天板部１４の上面部には、第２注出口１３を開閉する開閉手段であるカバーキャップ１８がヒンジ部１８ａを介して回動可能に設けられている。このカバーキャップ１８は、天板部１４とは別体に形成されており、天板部１４に装着される装着部１８ｂと、第２注出口１３を閉塞する蓋部１８ｃとがヒンジ部１８ａにより連結された構造を有している。このうち、装着部１８ｂには、第２注出口１３を外部に臨ませる開口部１８ｄが設けられ、蓋部１８ｃの天板部１４と対向する面には、第２注出口１３を閉塞する栓部１８ｅが突出して設けられている。また、このカバーキャップ１８は、計量キャップ４と一体に形成することも可能である。
【００２６】
計量キャップ４は、このようなカバーキャップ１８を設けることによって、容器本体２から注出された液体を計り取る際に第２注出口１３からの液漏れを確実に防ぐことができる。また、カバーキャップ１８は、ヒンジ部１８ａを介して計量キャップ４に連結されていることから、このカバーキャップ１８を開蓋した際に無くしてしまうといったことを防ぐことができる。
また、ヒンジ部１８ａは、計量キャップ４の容器本体２を傾ける側とは反対側の側面部に位置して設けられている。この場合、第２注出口１３から液体洗剤を注出する際にカバーキャップ１８が邪魔とならないように、ヒンジ部１８ａとは反対側を下に向けて容器本体２を傾けることになるため、使用者対して容器本体２を傾ける向きを通知させることができる。
【００２７】
内筒部１５は、天板部１４の下面から注出ノズル５の周囲を囲むように垂下されている。外筒部１６は、内筒部１５の外周面の中途部に位置するフランジ部１９を介して下方に向かって略円筒状に垂下されている。また、外筒部１６の内周面には、上述した内筒部８のネジ部８ａに螺合されるネジ部１６ａが形成されている。これにより、計量キャップ４は、注出キャップ３に対して着脱自在に被せることが可能となっている。
【００２８】
なお、計量キャップ４は、計量部４ａによる計量を行い易くするため、透明であることが好ましく、内筒部１５の側面部には、容量表示のための目盛り（図示せず。）が設けられている。また、外筒部１６の外周面には、この計量キャップを回す際の滑り止めとなる複数の縦溝２０が全周に亘って設けられている。
また、計量キャップ４は、このような注出キャップ３の外側に嵌合される外嵌合型に限らず、注出キャップ３の内側に嵌合される内嵌合型であってもよい。
【００２９】
以上のようなキャップ付き容器１を用いて洗濯などを行う場合には、カバーキャップ１８を閉じた計量キャップ４を注出キャップ３から取り外し、容器本体２を傾けて注出ノズル５の第１注出口５ａから注出された液体洗剤を計量キャップ４の計量部４ａで計り取った後に、洗濯機に投入するといった操作を行う。
【００３０】
一方、このキャップ付き容器１では、計量キャップ４を注出キャップ３に被せた状態のままカバーキャップ１８を開き、容器本体２を傾けることによって、注出ノズル５の第１注出口５ａから注出された液体洗剤を第２注出口１３から注出するといった操作も行うことができる。
【００３１】
ところで、本発明を適用したキャップ付き容器１では、注出ノズル５と嵌合部１７との間に空気流通路として機能する隙間Ｓが設けられている。具体的に、このキャップ付き容器１には、図２及び図３に拡大して示すように、容器本体２を傾ける側とは反対側に位置する嵌合部１７の内周面を所定の角度範囲（例えばθ＝９０゜）に亘って切り欠く切欠き部２１が設けられている。そして、この切欠き部２１によって注出ノズル５と嵌合部１７との間に隙間（例えばＳ＝０．５〜１．０ｍｍ）が形成されている。したがって、計量キャップ４を注出キャップ３に被せた状態においては、切欠き部２１が形成された領域に隙間Ｓが形成され、それ以外の領域では注出ノズル５と嵌合部１７とが密着した状態となっている。
【００３２】
本発明を適用したキャップ付き容器１では、このような隙間Ｓを通じて第２注出口１３から流入する外部の空気を計量部４ａ内に導入することができ、これにより、計量部４ａ内の空気の置換効率を高めることができる。また、計量部４ａ内の空気の置換効率を高めることによって、計量部４ａ内に流入した液体洗剤を戻し口１０から容器本体２の内部へと速やかに戻すことができ、その結果、計量部４ａ内での泡の発生を防ぐことができる。したがって、このキャップ付き容器１では、計量時に泡の影響を受けることなく液体洗剤を計量キャップ４の計量部４ａにより正確に計り取ることが可能である。
【００３３】
また、本発明を適用したキャップ付き容器１では、容器本体２を傾ける側とは反対側に隙間Ｓを設けることによって、容器本体２を傾けた状態から正立状態に戻したときに、該隙間Ｓを通じて第２注出口１３から流入する外部の空気を計量部４ａ内に速やかに導入することができる。その結果、計量部４ａ内の空気の置換効率を更に高めることができる。
【００３４】
また、本発明を適用したキャップ付き容器１では、注出ノズル５の先端部が斜めにカットされた形状を有すると共に、斜めにカットされた第１注出口５ａの上端部が容器本体２を傾ける側に位置している。この場合、容器本体２を傾けた状態から正立状態に戻したときに、注出ノズル５の先端部における液切れを良くすることができる。また、容器本体２を傾ける側とは反対側において外部の空気を計量部４ａ内に導入するための隙間Ｓを確保できることから、計量部４ａ内の空気の置換効率を更に高めることができる。
【００３５】
また、上記隙間Ｓは、上述した嵌合部１７の内周面を切り欠く切欠き部２１の代わりに、例えば図４に示すように、注出ノズル５の外周面を切り欠く切欠き部２２によって形成してもよい。具体的に、図４に示す注出ノズル５の先端部には、容器本体２を傾ける側とは反対側の一部を切り欠く切欠き部２２が設けられている。この切欠き部２２は、計量キャップ４を注出キャップ３に被せた状態において注出ノズル５と嵌合部１７とが密着した部分よりも更に下方に臨んで設けられている。そして、このような切欠き部２２によって形成された隙間Ｓを通じて第２注出口１３から流入する外部の空気を計量部４ａ内に導入することが可能となっている。したがって、この場合も、計量部４ａ内の空気の置換効率を高めることができ、この計量部４ａ内での泡の発生を防ぐことができる。
【００３６】
また、上記隙間Ｓは、上述した切欠き部２１，２２のように、注出ノズル５と嵌合部１７との互いに対向する面のうち少なくとも一部を切り欠くことによって形成されたものに必ずしも限定されるものではない。
【００３７】
例えば、上記隙間Ｓは、図５に示すように、斜めにカットされた注出ノズル５の先端部のうち、その傾斜した面の下端部を嵌合部１７よりも下方に位置させることによって形成することができる。この場合も、容器本体２を傾ける側とは反対側において外部の空気を計量部４ａ内に導入するための隙間Ｓを確保することができる。
【００３８】
また、上記隙間Ｓは、図６に示すように、注出ノズル５の先端部の外径を嵌合部１７の内径よりも小さくし、この注出ノズル５の先端部を嵌合部１７の内側に遊嵌させることによって、注出ノズル５と嵌合部１７との間に形成することができる。この場合、注出ノズル５は、嵌合部１７の中心から容器本体２を傾ける側に偏倚して嵌合部１７の内側に嵌合されることが好ましい。これにより、容器本体２を傾ける側とは反対側において隙間Ｓを大きく確保することができる。
【００３９】
また、上記隙間Ｓは、注出ノズル５と嵌合部１７との間の一部の領域に亘って設けるだけでなく、場合によっては注出ノズル５と嵌合部１７との間の全周に亘って設けることもできる。
【００４０】
なお、嵌合部１７は、上述した凹部に限らず、例えば第２注出口１３の周囲から円筒状に垂下される突起部を形成し、この突起部の内側に注出ノズル５の先端部が嵌合される構成としてもよい。この場合も、突起部と注出ノズル５との間の全周又は一部の領域に亘って隙間Ｓを設けることによって、計量部４ａ内の空気の置換効率を高め、この計量部４ａ内での泡の発生を防ぐことができる。
【００４１】
なお、本発明は、上記実施形態に必ずしも限定されるものではなく、本発明の趣旨を逸脱しない範囲において種々の変更を加えることが可能である。
例えば、上記実施形態では、計量キャップ４の第２注出口１３を開閉する開閉手段として、上述した図１に示すカバーキャップ１８が設けられた構成となっているが、このようなカバーキャップ１８の代わりに、例えば図７に示すようなターレット型のキャップ開閉機構３０を計量キャップ４に設けた構成としてもよい。
【００４２】
具体的に、このキャップ開閉機構３０は、例えば衣服の襟や袖などの部分的な汚れに対して液体洗浄剤を直接塗布することができる塗布ノズル３１を有し、この塗布ノズル３１は、上記計量キャップ４の天板部１４に基端部が回動可能に取り付けられている。一方、上記計量キャップ４の天板部１４には、この塗布ノズル３１を収納するための収納凹部３２が設けられており、この収納凹部３２の底部に上記第２注出口１３（図７において図示せず。）が配置されている。塗布ノズル３１は、収納凹部３２に収納される収納位置と、収納凹部３２の側面に当接されて回動が阻止される起立位置との間で略９０゜の角度範囲に亘って回動可能となっている。そして、この塗布ノズル３１は、回動操作によって収納凹部３２に収納された状態にあるとき、収納凹部３２に密着嵌合されることで第２注出口１３を閉塞する。一方、この塗布ノズル３１は、回動操作によって収納凹部３２から起立した状態にあるとき、その基端部が収納凹部３２に密着嵌合することで第２注出口１３と連通された状態となる。これにより、第２注出口１３を通じて塗布ノズル３１の先端から液体洗剤を注出することが可能となっている。
以上のようにして、このキャップ開閉機構３０では、塗布ノズル３１の回動操作によって計量キャップ４の第２注出口１３を開閉することが可能となっている。なお、塗布ノズル３１の先端部には、収納位置にて計量キャップ４よりも外側に張り出した鍔部３３が設けられている。塗布ノズル３１は、この鍔部３３によって収納凹部３２から容易に起立させることが可能となっている。
【００４３】
また、本発明では、例えば図８に示すようなプッシュプル型のキャップ開閉機構４０を計量キャップ４に設けた構成としてもよい。このキャップ開閉機構４０は、中央部にノズル４１ａが設けられたプッシュプルキャップ４１を有し、このプッシュプルキャップ４１は、上記計量キャップ４の天板部１４に取り付けられて、上下方向にスライド（プッシュプル）可能となっている。一方、上記計量キャップ４の天板部１４には、このプッシュプルキャップ４１を収納するための収納凹部４２が設けられており、この収納凹部４２の底部に上記第２注出口１３（図８において図示せず。）が配置されている。そして、このプッシュプルキャップ４１は、押し込み（プッシュ）操作によって収納凹部４２に収納された状態にあるとき、第２注出口１３を閉塞する。一方、このプッシュプルキャップ４１は、引張り（プル）操作によって収納凹部４２から突出した状態にあるとき、第２注出口１３を開放し、この第２注出口１３を通じてノズル４１ａの先端から液体洗剤を注出することが可能となっている。
以上のようにして、このキャップ開閉機構４０では、プッシュプルキャップ４１のプッシュプル操作によって計量キャップ４の第２注出口１３を開閉することが可能となっている。なお、プッシュプルキャップ４１の側面部には、このプッシュプルキャップ４１を引き出す際の滑り止めとなる複数の横溝４３が設けられている。
【００４４】
また、本発明では、例えば図９に示すようなトグル型のキャップ開閉機構５０を計量キャップ４に設けた構成としてもよい。このキャップ開閉機構５０は、側面部に注ぎ口５１ａが設けられたトグルキャップ５１を有し、このトグルキャップ５１は、上記計量キャップ４の天板部１４に揺動可能に取り付けられている。一方、上記計量キャップ４の天板部１４には、このトグルキャップ５１を収納するための収納凹部５２が設けられており、この収納凹部５２の底部に上記第２注出口１３（図９において図示せず。）が配置されている。そして、このトグルキャップ５１は、図９Ａに示すように、揺動操作によって注ぎ口５１ａ側が収納凹部５２に収納された状態にあるとき、第２注出口１３を閉塞する。一方、このトグルキャップ５１は、図９Ｂに示すように、揺動操作によって注ぎ口５１ａ側が収納凹部５２から突出した状態にあるとき、第２注出口１３を開放し、この第２注出口１３を通じて注ぎ口５１ａから液体洗剤を注出することが可能となっている。
以上のようにして、このキャップ開閉機構５０では、トグルキャップ５１の揺動操作によって計量キャップ４の第２注出口１３を開閉することが可能となっている。
【００４５】
また、本発明では、上述したキャップ開閉機構３０，４０，５０以外にも、スクリュー型のキャップ開閉機構を計量キャップ４に設けた構成とすることも可能である。
【００４６】
なお、上記キャップ付き容器１に収容される液体（内容液）については、従来より一般に使用されている液体洗剤の他に、液体漂白剤などを収容することができる。また、本発明を適用したキャップ付き容器１では、容器本体２に収容された液体が少なくとも２質量％以上の界面活性剤を含む液体洗剤組成物又は液体漂白剤組成物であっても、計量部４ａ内での泡の発生を防ぐことができる。
【００４７】
界面活性剤としては、液体洗剤や液体漂白剤などにおいて従来より一般に使用されているものであれば特に限定されるものではなく、１種又は２種以上を適宜組み合わせて使用することができる。内容液に含まれる界面活性剤の総量については、２質量％以上であることが性能上好ましい。界面活性剤の中でも特にノニオン界面活性剤である下記一般式（１）で表されるポリオキシエチレンアルキルエーテルを用いることが好ましく、このようなノニオン界面活性剤を１種又は２種以上組み合わせて使用することができる。
【００４８】
Ｒ１−Ｏ−（ＣＨ２ＣＨ２Ｏ）ｎ−Ｈ  …（１）
【００４９】
なお、式（１）中、Ｒ１はアルキル基を示し、ｎはエチレンオキサイド（ＥＯ）の平均付加モル数を示す。
このポリオキシエチレンアルキルエーテルにおいて、アルキル基は、直鎖状でも分岐を有するものであってもよい。また、アルキル基の炭素数は７〜１６であり、好ましくは１０〜１６であり、更に好ましくは１２〜１４である。具体的なアルキル基としては、例えばヘプチル基、オクチル基、ノニル基、デシル基、ウンデシル基、ドデシル基、トリデシル基、テトラデシル基、ペンタデシル基、ヘキサデシル基などを挙げることができる。
【００５０】
次に、本発明を適用したキャップ付き容器１に収容される液体漂白剤組成物の実施例として具体的な配合例を表１に示して詳しく説明するが、本発明はこの実施例に限定されるものではない。また、特に断りがないときの％は質量％とする。
【００５１】
【表１】
0004669431.tif 000002
【００５２】
表１中に記載した各成分は、次のとおりである。
過酸化水素：三菱瓦斯化学社製、３５％水溶液
ヒドロキシエタンジホスホン酸：エチレンジアミンテトラキスメチレンホスホン酸、商品名ＢＲＩＱＵＥＳＴ４２２、オルブライトウィルソン社製、６０％品
４−メトキシフェノール：商品名ＭＱ−Ｆ、川口化学社製、１００％品
ポリオキシエチレンアルキルエーテル：ノニオン界面活性剤、ライオン社製、Ｙｉは、上記一般式（１）のノニオン界面活性剤の合計質量に対するｎａｖ−２からｎａｖ＋２の範囲に含まれるノニオン界面活性剤の合計質量の割合である。Ｙｉ＝８４％、アルキル基Ｃ１２、ＥＯ平均付加モル数＝５、９０％品
ＬＡＳ−Ｈ：炭素数１０〜１４のアルキルベンゼンスルホン酸、商品名ライポンＬＨ−２００、ライオン社製、９６％品
Ａｏｓ−Ｎａ：炭素数１４のα−オレフィンスルホン酸ナトリウム、商品名リポランＬＢ−４４０、ライオン社製、３８％品
４ホウ素酸Ｎａ５水塩：四ホウ酸ナトリウム５水和物、商品名ＢＯＲＡＸ、ＢＯＲＡＸ社製、１００％品
水酸化ナトリウム：旭硝子社製、２５％品
硫酸：日産化学工業社製、６２．５％品
香料：特開２００３−３６８３９８号公報、表７〜１４に記載の香料組成物Ａ
【産業上の利用可能性】
【００５３】
本発明は、計量カップとして使用できるキャップを備えたキャップ付き容器に対して幅広く適用することが可能であり、上述した液体洗剤組成物や液体漂白剤組成物を収容したもの以外にも、その他の液体製品や、薬品、食品等といった中で計量を必要とする液体を収容したものに対して好適に用いることが可能である。
【図面の簡単な説明】
【００５４】
【図１】図１は、本発明を適用したキャップ付き容器の一構成例を示す断面図である。
【図２】図２は、図１に示すキャップ付き容器の要部を拡大して示す縦断面図である。
【図３】図３は、図１に示すキャップ付き容器の要部を拡大して示す横断面図である。
【図４】図４は、本発明を適用したキャップ付き容器の変形例を示し、（ａ）はその縦断面図であり、（ｂ）はその横断面図である。
【図５】図５は、本発明を適用したキャップ付き容器の別の変形例を示す縦断面図である。
【図６】図６は、本発明を適用したキャップ付き容器の更に別の変形例を示す横断面図である。
【図７】図７は、ターレット型のキャップ開閉機構を示す斜視図である。
【図８】図８は、プッシュプル型のキャップ開閉機構を示す斜視図である。
【図９】図９は、トグル型のキャップ開閉機構を示す斜視図であり、Ａはその閉塞時であり、Ｂはその開放時である。
【図１０】図１０は、従来のキャップ付き容器の一構成例を示す断面図である。
【図１１】図１１は、図１０に示すキャップ付き容器の使用形態を示す斜視図である。
【図１２】図１２は、図１０に示すキャップ付き容器の計量時の状態を示す斜視図である。
【図１３】図１３は、図１０に示すキャップ付き容器の反転後の状態を示す断面図である。
【符号の説明】
【００５５】
１…キャップ付き容器  ２…容器本体  ３…注出キャップ  ４…計量キャップ  ４ａ…計量部  ５…注出ノズル  ５ａ…第１注出口  ５ｂ…嵌合部  ６…底壁  ６ａ…液溜め部  ７…内側周壁  ８…内筒部  ９…外筒部  １０…戻し口  １３…第２注出口  １４…天板部  １５…内筒部  １６…外筒部  １７…嵌合部  １８…カバーキャップ
【図１】
0004669431.tif 000003
【図２】
0004669431.tif 000004
【図３】
0004669431.tif 000005
【図４】
0004669431.tif 000006
【図５】
0004669431.tif 000007
【図６】
0004669431.tif 000008
【図７】
0004669431.tif 000009
【図８】
0004669431.tif 000010
【図９】
0004669431.tif 000011
【図１０】
0004669431.tif 000012
【図１１】
0004669431.tif 000013
【図１２】
0004669431.tif 000014
【図１３】
0004669431.tif 000015